(57)【特許請求の範囲】
【請求項１】
光ファイバの余長と、支持線（Ｗ）に支持されたクロージャ（１）に引き通された光ファイバケーブル（Ｋ）と、他の分岐用の光ファイバケーブル（Ｌ）とを分岐接続した接続部とを収める光ファイバ用トレイであって、
前記接続部を保持するホルダ部（３２）が複数分散配置された接続部収納領域（Ｒ）を内部に備え、
前記接続部収納領域を内部に備え、前記光ファイバケーブル（Ｋ）から取り出された光ファイバ（Ｆ１）と、前記分岐用の光ファイバケーブル（Ｌ）から口出しされた光ファイバ（Ｆ２）との接続部を収める接続部収納トレイ（３）と、前記分岐用の光ファイバケーブル（Ｌ）から口出しされた光ファイバ（Ｆ２）の余長を収める余長収納トレイ（４）とが積層され、
前記分岐用の光ファイバケーブル（Ｌ）から口出しされ、別の光ファイバに接続されていない光ファイバを収める保留光ファイバトレイ（５）が前記接続部収納トレイまたは前記余長収納トレイに積層され、
前記接続部収納トレイの前記接続部収納領域（Ｒ）にはホルダ部（３２）が分散配置されており、前記ホルダ部は長手方向に複数列並列配置され、それぞれの列は前記接続部収納トレイの長手方向に対して所定の角度を持って斜めに設けられており、
前記ホルダ部は、底板より突設された一組の突片によって構成され、該突片の両端には、上下にそれぞれ接続部用の押え部が設けられており、該押え部は他の突片に向かって斜めに延出するよう形成されていることを特徴とする光ファイバ用トレイ（Ａ）。
【請求項２】
請求項１記載の光ファイバ用トレイであって、
前記接続部収納トレイの対向する両側にそれぞれ前記余長収納トレイと前記保留光ファイバトレイが積層され、
前記余長収納トレイと前記保留光ファイバトレイは、前記接続部収納トレイの半分よりやや小さく形成されており、これにより導入領域Ｔを塞がないようにして、
両余長収納トレイ間および両保留光ファイバトレイ間に前記接続部収納トレイと連通する空間（７）が確保されていることを特徴とする光ファイバ用トレイ。
【請求項３】
請求項１または請求項２に記載の光ファイバ用トレイであって、
前記接続部収納トレイは、光ファイバを導入する導入口（３３）が対向する両側部に設けられ、前記接続部を保持するホルダ部が複数分散配置された接続部収納領域が、各導入口の近傍から相手側の導入口に向けて延在されていることを特徴とする光ファイバ用トレイ。
【発明の詳細な説明】
【０００１】
【発明の属する技術分野】
本発明は、光ファイバの余長と光ファイバ同士の接続部とを収める光ファイバの収納トレイに用いられて好適な光ファイバ用トレイに関する。
【０００２】
【従来の技術】
従来、一旦布設した光ファイバケーブルの途中から何れかの光ファイバを分岐する作業（いわゆる後分岐作業）では、光ファイバケーブルの外皮の除去作業と、光ファイバケーブルの引き寄せ作業とによって、作業部分にて光ファイバケーブルをたるませ、光ファイバケーブルから充分な余長を確保して光ファイバを引き出し、他の光ファイバと接続することが一般的である。また、後分岐点にはクロージャが被せられ、光ファイバ同士の接続部（融着接続部等）は、このクロージャに収納される収納トレイ内に余長とともに収納される。
【０００３】
【発明が解決しようとする課題】
ところで、前述のような後分岐作業では、光ファイバケーブルの引き寄せによって光ファイバに余長を確保するといっても、その長さには限界があり、例えば、光ファイバケーブルの引き寄せが充分に行えない場合では、光ファイバの余長が非常に短くなって（短余長）、収納トレイへの接続部や余長の収納が困難になる懸念があった。やや具体的には、収納トレイは、接続部を保持するホルダ部を中央に備え、余長を収納する余長収納部を前記ホルダ部の両側に対向配置した構成が一般的であり、前記ホルダ部は、両側の余長収納部間の限られた領域にのみ設けられることが一般的である。また、この収納トレイに光ファイバを導入するための光ファイバ導入口は、各余長収納部の近傍に設けられることが一般的である。
【０００４】
このような収納トレイは、前記ホルダ部とこの両側の余長収納部とが、光ファイバケーブルに沿って配列されるようにしてクロージャ内に収納されるようになっている。したがって、光ファイバケーブルから引き出された光ファイバの接続点を収納トレイの中央部にまで引き込む必要があり、短余長に対応できなくなる可能性がある。また、短余長の光ファイバの接続部を前記収納トレイに収納すると、湾曲処理すべき余長が短いために許容曲率半径以上に曲げてしまう場合もある。さらにまた、接続部を保持できるホルダ部を設けるスペースが限られ、ホルダ部の数が少ない（数個が一般的）ために高密度収納を実現できないといった不満があった。
【０００５】
さらに、光ファイバケーブルより取り出してから別の光ファイバと接続を行っていない光ファイバ（光ファイバケーブルからの取出し後、接続用に切断されている保留光ファイバ、もしくは切断されていない通過光ファイバ）は、複数積層された前記収納トレイを用いて接続部を収納するトレイと区別して収納するか、クロージャ内に別途確保した収納部もしくは収納スペースに収納するか、あるいは通過させることが一般的であるが、いずれの場合も、接続部収納用のトレイとは別の所に収納することになるため、接続後には、接続部収納用のトレイに入れ替えることになり、作業に手間がかかる。また、取り出し時の移動距離が長いと、活線状態の光ファイバと接触して通信に影響を与える懸念があるため、この点からも作業性を向上できない。また、前述の収納トレイを保留光ファイバ収納用として割り当てると、ホルダ部が邪魔になって光ファイバの収納密度を向上できないといった問題もある。
【０００６】
本発明は、上記の事情に鑑みてなされたものであって、後分岐接続を容易に行うことのできる光ファイバ用トレイを提供することを目的とする。
【０００７】
【課題を解決するための手段】
請求項１に記載の発明は、光ファイバの余長と、支持線に支持されたクロージャに引き通された光ファイバケーブルと、他の分岐用の光ファイバケーブルとを分岐接続した接続部とを収める光ファイバ用トレイであって、前記接続部を保持するホルダ部が複数分散配置された接続部収納領域を内部に備え、前記接続部収納領域を内部に備え、前記光ファイバケーブルから取り出された光ファイバと、前記分岐用の光ファイバケーブルから口出しされた光ファイバとの接続部を収める接続部収納トレイと、前記分岐用の光ファイバケーブルから口出しされた光ファイバの余長を収める余長収納トレイとが積層され、前記分岐用の光ファイバケーブルから口出しされ、別の光ファイバに接続されていない光ファイバを収める保留光ファイバトレイが前記接続部収納トレイまたは前記余長収納トレイに積層され、前記接続部収納トレイの前記接続部収納領域にはホルダ部が分散配置されており、前記ホルダ部は長手方向に複数列並列配置され、それぞれの列は前記接続部収納トレイの長手方向に対して所定の角度を持って斜めに設けられており、前記ホルダ部は、底板より突設された一組の突片によって構成され、該突片の両端には、上下にそれぞれ接続部用の押え部が設けられており、該押え部は他の突片に向かって斜めに延出するよう形成されていることを特徴とする。
【０００８】
このような構成としたことにより、接続作業に必要な接続余長の違いに対応して、接続部を保持させる位置が接続部収納領域内で自在に選択される。とりわけ、融着接続等の接続作業においては、接続の失敗によって光ファイバの余長が変化する場合もある。また、切替作業によって余長が変化する場合もある。このように、余長が短く、余長の変化によって接続部を保持させる位置を変えなければならない場合にも、接続部を保持させるホルダ部の位置が自在かつ適切に選択される。さらに、多数の接続部が接続部収納領域内に高密度に収納される。
【０００９】
このような構成としたことにより、余長収納に適した余長収納トレイと、接続部の収納に適した接続部収納トレイとが具備されるので、接続部収納トレイ内の余長収納スペースを大幅に縮小し、ホルダ部の設置スペースを充分に確保でき、光ファイバの余長と接続部とがそれぞれ別々に分離されて高密度に収納される。
【００１０】
このような構成としたことにより、保留光ファイバは、保留光ファイバトレイに収納され、必要に応じて取り出され、光ファイバ同士の接続に用いられる。保留光ファイバトレイは、余長収納トレイや接続部収納トレイに積層されてこれらの近くに設けられているので、前記取出し作業、前記光ファイバ同士の接続作業、余長と接続部の余長収納トレイと接続部収納トレイへの収納作業が容易になる。
【００１１】
請求項２に記載の発明は、請求項１記載の光ファイバ用トレイであって、前記接続部収納トレイの対向する両側にそれぞれ前記余長収納トレイと前記保留光ファイバトレイが積層され、前記余長収納トレイと前記保留光ファイバトレイは、前記接続部収納トレイの半分よりやや小さく形成されており、これにより導入領域Ｔを塞がないようにして、両余長収納トレイ間および両保留光ファイバトレイ間に前記接続部収納トレイと連通する空間が確保されていることを特徴とする。
【００１２】
このような構成としたことにより、余長収納トレイに余長が収納された光ファイバは、両余長収納トレイの間に設けられた空間に配設され、接続部収納トレイに導入される。
【００１３】
請求項３に記載の発明は、請求項１または請求項２に記載の光ファイバ用トレイであって、前記接続部収納トレイは、光ファイバを導入する導入口が対向する両側部に設けられ、前記接続部を保持するホルダ部が複数分散配置された接続部収納領域が、各導入口の近傍から相手側の導入口に向けて延在されていることを特徴とする。
【００１４】
この光ファイバ用トレイは、光ファイバケーブルの後分岐接続により形成された接続部の収納に適している。つまり、この光ファイバ用トレイでは、光ファイバケーブルの後分岐に伴う外皮除去範囲の両側に合わせて導入口を配置することで、前記外皮除去範囲の両側から引き出される光ファイバの余長が短くてもこれを容易に収納できる。しかも、各導入口近傍から延在する接続部収納領域にホルダ部が分散配置されているので、接続部の保持位置を光ファイバの余長の長さに対応して自由に選択できる。
【００１７】
【発明の実施の形態】
以下、本発明の一実施形態による光ファイバ用トレイを図面に基づき説明する。
【００１８】
図３および図４は、支持線Ｗに支持されたクロージャ１にて、該クロージャ１に引き通された光ファイバケーブルＫと、他の分岐用の光ファイバケーブルＬ，Ｌ・・・とを分岐接続した様子を示している。これらの光ファイバケーブルＫ，Ｌ，Ｌ・・・から引き出された光ファイバ同士の接続部は、クロージャ１内に設けられた光ファイバ用トレイＡ内に余長とともに収納される。なお、前記光ファイバとしては、単心あるいは多心の光ファイバ心線等が使用される。
【００１９】
図１において、光ファイバ用トレイＡは、光ファイバ同士の接続部を収める接続部収納トレイ３と、光ファイバの余長を収める余長収納トレイ４，４と、別の光ファイバに接続されていない保留光ファイバを収める保留光ファイバトレイ５，５とが積層されて構成されている。具体的には、接続部収納トレイ３上に一対の余長収納トレイ４,４が対向配置して積層され、各余長収納トレイ４,４上に一対の保留光ファイバトレイ５,５が積層されている。それぞれのトレイ間は、ヒンジＨ，Ｈ・・・によって連結され、トレイ間での回動による開閉操作を可能にしている。
【００２０】
図２および図５〜１０に示されるように、最下に設けられた接続部収納トレイ３は、底板３１の周囲に立ち上げられたリブ状の壁部３６の内側に、光ファイバ同士の接続部や余長を収納するようになっている。この接続部収納トレイ３の対向する両側の壁部３６には、光ファイバケーブルＫ側の側部３１ａに光ファイバ導入口３３，３３が、反対側の側部３１ｂに導入口３４，３４がそれぞれ開口されている。
ここで、導入口３３，３３は、図４に示されるように、光ファイバケーブルＫから取り出された光ファイバＦ１等が導入されるように、導入口３４,３４は、光ファイバケーブルＬから口出しされた光ファイバＦ２等が導入されるように形成されている。さらに、導入口３４から導入された光ファイバを導入領域Ｔに導く光ファイバ導入溝３５が、導入口３４から側部３１ｂに沿って延在形成されている。
壁部３６より内方に延出された舌片３７，３７・・・は、接続部収納トレイ３内に光ファイバＦ１，Ｆ２等を押え込む押え片として機能する。接続部収納トレイ３の内部には、接続部Ｃを着脱自在に保持するホルダ部３２が複数分散配置された接続部収納領域Ｒが各光ファイバ導入口３３に対応させて、対向する両側に振り分け配置されている。
【００２１】
各々の接続部収納領域Ｒの導入口３３付近には、短余長光ファイバの短い余長を多少湾曲させて吸収させる湾曲余長収納部Ｓ設けられている。また、接続部収納領域Ｒ，Ｒに挟まれた領域に設けられた導入領域Ｔは、積層された他のトレイ４,５との間に配線される光ファイバの振り分け等に利用される。ここで、光ファイバをこの導入領域Ｔに導くために、側部３１ｂの導入領域Ｔに臨む部分に光ファイバ連絡溝３８，３８が設けられている。
【００２２】
図５〜９は、図２に示された接続部収納トレイ３の左右対称な片側の部分を拡大して示したものである。上述したように接続部収納領域Ｒには、多数のホルダ部３２が分散配置されている。すなわち、接続部収納領域Ｒには、複数のホルダ部３２を並列（各ホルダ部３２の突片３２１が並列）に配列してなる列が、長手方向に複数列設けられている。ここで、それぞれの列は、接続部収納トレイ３の長手方向に対して所定の角度を以って斜めに設けられている。
【００２３】
一つのホルダ部３２は、図１０（ａ）〜（ｃ）に示されるように、底板３１より突設された一組の突片３２１,３２１によって構成されている。突片３２１の両端には、上下にそれぞれ接続部用の押え部３２２，３２２が設けられており、他の突片３２１に向かって斜めに延出するよう形成されている。これらの突片３２１,３２１・・・は、側部３１ａに沿ってそれぞれ平行に列状になるよう設けられており、突片３２１，３２１・・・の間を光ファイバが挿通されるように構成されている。
【００２４】
図１１に示されるように、余長収納トレイ４は、接続部収納トレイ３の半分よりやや小さく形成されており、図１に示されるように、接続部収納トレイ３の各接続部収納領域Ｒを覆うようにしてその上に積層されるよう構成されている。ここで、余長収納トレイが接続部収納トレイ３の半分よりやや小さく形成されるのは、積層される際、導入領域Ｔを塞がないようにして導入領域Ｔの上方に配線用の空間７が確保されるようにするためである。
余長収納トレイ４は、ヒンジ部Ｈにより接続部収納トレイ３に回動自在に連結されている。ヒンジ部Ｈの設けられた側部４１ｂに、光ファイバの導入口４３と導入口４４が設けられている。
ここで、導入口４３は、図４に示されるように、分岐用の光ファイバケーブルＬ，Ｌ・・・より口出しされた光ファイバＦ２等を余長収納トレイ４に導入するために設けられており、光ファイバ用トレイＡがクロージャ１に収納されると、光ファイバケーブルＫと反対側に位置するようになっている。一方、導入口４４は、接続部収納トレイ３との間に光ファイバを配線するためのものであり、導入領域Ｔの上方に確保される前記配線用の空間７に臨ませて配置されている。この導入口４４よりガイド片４８が延在形成されており、導入口４４に出入りする光ファイバに適切な湾曲を与えるようになっている。
また、余長収納トレイ４の中心には、導入された光ファイバが湾曲処理される巻回部４５が底板４１より立ち上がるように突設されている。さらに、余長収納トレイ４の外縁には、光ファイバの落出防止のために底板４１に垂直に壁部４６が設けられている。この壁部４６から内方に向かって突設された舌片４７，４７・・・は、余長収納トレイ４内の光ファイバが外に飛び出すことを防止する。
【００２５】
図１２に示されるように、保留光ファイバトレイ５は、平面視して余長収納トレイ４と略同様の外形を有し、図２に示されるように、余長収納トレイ４，４の上にほぼ一致させて積層され、ヒンジ部Ｈにより余長収納トレイ４に回動自在に係合されている。
ヒンジ部Ｈの設けられた側部５１ｂに、光ファイバの導入口５３が設けられている。また、中央部には、保留光ファイバが湾曲処理される巻回部５５が底板５１より立ち上がるように突設されている。さらに、保留光ファイバトレイ５の外縁には、光ファイバの落出防止のために底板５１に垂直に壁部５６が設けられ、この壁部５６から内方に向かって舌片５７，５７・・・が突設されている。これらの舌片５７，５７・・・によって保留光ファイバトレイ５内の光ファイバが外へ飛び出さないように押え込まれる。
【００２６】
さらに、保留光ファイバトレイ５の開放された側は、ヒンジ部Ｈを介して保留光ファイバトレイ５に設けられた蓋体６（図１３参照）の回動によって開閉される。
【００２７】
後分岐接続のために光ファイバケーブルＫより光ファイバＦ１等が取り出され、切断されると、例えば図１４に示すように、接続部収納トレイ３の図１４紙面左側の導入口３３から光ファイバＦ１が導入される。この時、接続部収納トレイ３は、上に積層された余長収納トレイ４（図１４紙面左側）がヒンジ部Ｈで回動するように持ち上げられ、上側が開放された状態にある。一方、分岐用の光ファイバケーブルＬから口出しされた光ファイバＦ２は、図１４紙面右側より、接続部収納トレイ３の上に積層された余長収納トレイ４（図１４紙面右側）の導入口４３に挿入される。
【００２８】
光ファイバＦ１と光ファイバＦ２が融着接続等により接続された後、接続部Ｃは、接続部収納領域Ｒ内のいずれかのホルダ部３２に保持収納される。この時、分散配置された複数のホルダ部３２のうち、接続部Ｃが収められる際、光ファイバＦ１に負担がかからない湾曲曲率半径の得られるものが選択される。
【００２９】
融着接続によって接続作業をする場合、融着機に引き回すだけの接続余長が必要となるが、光ファイバの配線の際、光ファイバＦ１の短い余長は、湾曲余長収納部Ｓで調整される。導入口４３より挿入された他方の光ファイバＦ２の余長は、余長収納トレイ４の中で巻回部４５に巻回されて吸収される。そして、導入口４４から光ファイバ連絡溝３８にかけて配線され、導入領域Ｔへと導かれ、さらに導入領域Ｔでの湾曲によって適宜余長が調整される。
【００３０】
光ファイバＦ１の余長に余裕があまりないため、融着接続に失敗して余長が短くなると、光ファイバＦ１に適切な湾曲が与えられるような接続部の収納位置もこれに伴って変化する。仮に接続作業に失敗して、短余長の光ファイバＦ１の余長がさらに短くなる場合には、光ファイバＦ２の余長が余長収納トレイ４から引き出されると共に、導入口３３に近い側にあるホルダ部３２に接続部が収納される。このようにして、様々な余長に対応して接続部収納トレイ３の長手方向に複数設けられたホルダ部３２のうち最も適切なものが選択され、収納部が保持される。なお、これらの作業は、光ファイバの切替作業の際にも同様に行われる。
【００３１】
分岐用の光ファイバケーブルから口出しされた光ファイバＦ２が、図１５に示すように、例えば、図１５紙面左側にある場合、光ファイバＦ２は、接続部収納トレイ３の導入口３４より挿入される。光ファイバの配線の際、導入口３４より挿入された他方の光ファイバＦ２は、光ファイバ導入溝３５から導入領域Ｔにかけて配線され、さらに、余長収納トレイ４の中で巻回部４５に巻回されて余長が吸収される。そして、再び導入口４４から光ファイバ連絡溝３８にかけて配線され、導入領域Ｔへと導かれ、さらに導入領域Ｔでの湾曲によって適宜余長が調整される。
【００３２】
こうして、短余長の光ファイバＦ１と光ファイバＦ２とが接続され、選択されたホルダ部３２に接続部Ｃが収納される。
【００３３】
分岐用の光ファイバケーブルＬから口出しされ、他の光ファイバに接続されない光ファイバは、余長収納トレイ４,４の上側に積層された保留光ファイバトレイ５,５に導入口５３より挿入され、巻回部５５に巻回されて収納される。接続する必要が生じた場合には、他の活線状態の光ファイバに振動等を与えることなく取りだされ、接続作業等が進められる。
【００３４】
このように、図１から図１３に示される光ファイバ用トレイＡによれば、後分岐接続により形成された接続部Ｃを適切に収納することができる。つまり、この光ファイバ用トレイＡでは、光ファイバケーブルＫの後分岐に伴う外皮除去範囲の両側に合わせて導入口３３,３３を配置することで前記外皮除去範囲の両側から引き出される光ファイバＦ１の余長が短くても、これを容易に収納できる。しかも、各導入口３３,３３近傍から延在する接続部収納領域Ｒにホルダ部３２,３２・・・が分散配置されているので、接続部Ｃの保持位置を光ファイバＦ１の余長の長さに対応して自由に選択できる。
【００３５】
ホルダ部３２が並列に設けられた列が長手方向に対して導入口３３からの距離が異なるように斜めに設けられているので、わずかの余長の違いに合わせて接続部収納位置を選択でき、さらにホルダ部３２から接続部を収納・取出する際には、各々位置がずれていることから、他の列に収納された接続部に干渉することなく接続部を把持することができ、作業性を向上できる。また、列が斜めに設けられている視覚的効果として、列の位置が長手方向の位置の違いによって識別できるので誤配線を防止できしかも作業性を向上することができる。
【００３６】
また、光ファイバの接続部Ｃを収納する接続部収納トレイ３と、余長を収納する余長収納トレイ４を別体として設けたことにより、接続部収納トレイ３内の余長収納スペースを大幅に縮小し、ホルダ部３２の設置スペースを充分に確保できるから、一つの接続部収納トレイ３内に多数の接続部を収めることができる。
ホルダ部には、図１０に示されるように、突片３２１に上下に設けられた押え部３２２，３２２・・・により、上下に二つの接続部を収納することができ、したがって、接続部をさらに高密度に収納することができる。
【００３７】
さらに、保留光ファイバ収納トレイ５を別体として積層し、この中に保留光ファイバを収納するようにしたため、所望の光ファイバが取り出しやすくなり、作業性が向上するとともに、と同じトレイ内にないため、作業の際に活線状態中の他の光ファイバに振動等を与えて悪影響を与えることがない。
【００３８】
なお、上記の実施例では、光ファイバ同士の接続として、融着接続を行う場合を前提としていたが、接続部は、融着接続によるものだけでなく、例えば光コネクタ等、他の方式の接続によるものであってもよいことは言うまでもない。
【００３９】
【発明の効果】
本発明は、以下に記載されるような効果を奏する。
以上説明したように、請求項１に係る光ファイバ用トレイによれば、接続部を保持するホルダ部が複数分散配置された接続部収納領域を内部に備えているので、光ファイバの異なる余長に対応して接続部の収納位置を自在に選択することができる。さらに、接続部収納領域に多数の接続部を高密度に収納することができる。
【００４０】
請求項２に係る発明によれば、光ファイバの接続部を収納する接続部収納トレイと、余長を収納する余長収納トレイを別体として設けたことにより、接続部収納トレイ内の余長収納スペースを大幅に縮小し、ホルダ部の設置スペースを充分に確保できるから、一つの接続部収納トレイ内に多数の接続部を収めることができる。
【００４１】
請求項３に係る光ファイバ用トレイによれば、余長収納トレイと接続部収納トレイとの間に光ファイバを配線する際、余長収納トレイと接続部収納トレイとを連通する空間に光ファイバが配線され、光ファイバ用トレイの外に露出することがないので、作業の際に光ファイバに接触して振動を与えたりすることを防止することができる。さらに、光ファイバは、接続部収納トレイの対向する両側に設けられた余長収納トレイのうち、一方の余長収納トレイに余長が収納されると、接続部収納トレイの前記余長収納トレイの対向する側に向けて配線されるので配線の際に無理な湾曲が加わらない。
【００４２】
請求項４に係る光ファイバ用トレイによれば、保留光ファイバ収納トレイを別体として積層し、この中に保留光ファイバを収納するようにしたため、この保留光ファイバ収納トレイからの保留光ファイバの取り出し、接続、余長処理を同一の光ファイバ用トレイにて行うことができ、周囲の活線状態の光ファイバに悪影響を与えることなく接続、余長処理を効率よく行える。
【００４３】
請求項５に係る光ファイバ用トレイによれば、光ファイバケーブルの後分岐に伴う外皮除去範囲の両側から引き出される光ファイバの余長が短くても、これを容易に収納できる。しかも、接続部収納領域にホルダ部が分散配置されているので、接続部の保持位置を光ファイバの余長の長さに対応して自由に選択できる。
【図面の簡単な説明】
【図１】本発明に係る光ファイバ用トレイの一実施の形態を示す図であって、それぞれ、（ａ）平面図、（ｂ）正面図、（ｃ）右側面図である。
【図２】本発明に係る光ファイバ用トレイの接続部収納トレイを示す図であって、それぞれ、（ａ）平面図、（ｂ）正面図である。
【図３】本発明に係る光ファイバ用トレイの一実施の形態を示す図であって、光ファイバ用トレイがクロージャ内に収納されている様子を示す正面図である。
【図４】本発明に係る光ファイバ用トレイの一実施の形態を示す図であって、光ファイバ用トレイがクロージャ内に収納されている様子を示す平面図である。
【図５】本発明に係る光ファイバ用トレイの接続部収納トレイの半体を示す平面図である。
【図６】本発明に係る光ファイバ用トレイの接続部収納トレイの半体を示す正面図である。
【図７】本発明に係る光ファイバ用トレイの接続部収納トレイの半体を示す背面図である。
【図８】本発明に係る光ファイバ用トレイの接続部収納トレイの半体を示す底面図である。
【図９】本発明に係る光ファイバ用トレイの接続部収納トレイの中心線における断面図である。
【図１０】本発明に係る光ファイバ用トレイの接続部収納トレイのホルダ部を示す図であって、それぞれ、（ａ）平面図、（ｂ）正面図、（ｃ）右側面図である。
【図１１】本発明に係る光ファイバ用トレイの余長収納トレイを示す図であって、それぞれ、（ａ）平面図、（ｂ）正面図である。
【図１２】本発明に係る光ファイバ用トレイの保留光ファイバトレイを示す図であって、それぞれ、（ａ）平面図、（ｂ）正面図である。
【図１３】本発明に係る光ファイバ用トレイの蓋体を示す図であって、それぞれ、（ａ）平面図、（ｂ）正面図、（ｃ）右側面図である。
【図１４】本発明に係る光ファイバ用トレイを用いた光ファイバ同士の接続の一例を示す図である。
【図１５】本発明に係る光ファイバ用トレイを用いた光ファイバ同士の接続の他の一例を示す図である。
【符号の説明】
Ａ・・・光ファイバ用トレイ、Ｋ・・・主光ファイバケーブル、Ｌ・・・分岐用光ファイバケーブル、Ｒ・・・接続部収納領域、３・・・接続部収納トレイ、４・・・余長収納トレイ、５・・・保留光ファイバトレイ、７・・・空間、３２・・・ホルダ部、３３・・・導入口
【図１】
0004212757.tif 000002
【図２】
0004212757.tif 000003
【図３】
0004212757.tif 000004
【図４】
0004212757.tif 000005
【図５】
0004212757.tif 000006
【図６】
0004212757.tif 000007
【図７】
0004212757.tif 000008
【図８】
0004212757.tif 000009
【図９】
0004212757.tif 000010
【図１０】
0004212757.tif 000011
【図１１】
0004212757.tif 000012
【図１２】
0004212757.tif 000013
【図１３】
0004212757.tif 000014
【図１４】
0004212757.tif 000015
【図１５】
0004212757.tif 000016